(57)【要約】【課題】複数の項目の印刷設定の設定内容を組み合わせた複合設定を、プリンタドライバにより生成する印刷ジョブの印刷設定情報に反映させるためにメモリから読み出す際の、読み出しデータ量を少なくする。【解決手段】インポート機能により外部記憶装置２１に記憶された「お気に入り」の印刷設定が、インクジェット記録装置１の現在の機能に対応する内容でなくても、「お気に入り」の印刷設定は書き換えず、外部記憶装置２１に記憶された「お気に入り」の印刷設定のうち、インクジェット記録装置１の現在の機能に対応しない「機能Ｃ」の設定内容（「ＯＮ」）を、印刷ジョブの印刷設定情報の生成に当たって外部記憶装置２１から読み出さないようにする。これにより、「お気に入り」の印刷設定の設定内容を反映させるために外部記憶装置２１から読み出す印刷設定のデータ量を減らすことができる。【選択図】図４
2018073141.tif 000002
【特許請求の範囲】
【請求項１】
原稿画像を印刷用紙に印刷する印刷指令に基づいて、前記原稿画像を印刷する際の複数項目の印刷設定の設定内容を示す印刷設定情報を含む印刷ジョブを印刷装置に出力する印刷制御装置において、
前記複数項目の印刷設定の設定内容を組み合わせた複合設定が組み合わせパターン別に保存される複合設定保存部と、
前記印刷指令に基づいて、前記複合設定保存部に保存された複合設定のうち設定内容を前記印刷設定情報に反映させる組み合わせパターンの複合設定を指定する複合設定指定部と、
前記印刷指令の発生時における前記印刷装置の機能の有効又は無効の状態に基づいて、前記複合設定指定部により指定された組み合わせパターンの設定内容のうち、該複合設定における設定内容が前記印刷装置における印刷設定に適用可能な項目の設定内容を、前記複合設定保存部から読み出す読出部と、
前記読出部が前記複合設定保存部から読み出した項目の設定内容を印刷設定に反映させた前記印刷設定情報を生成する印刷設定情報生成部と、
前記印刷設定情報生成部が生成した前記印刷設定情報を含む前記印刷ジョブを前記印刷装置に出力する印刷ジョブ出力部と、
を備える印刷制御装置。
【請求項２】
前記印刷指令に基づいて、前記印刷設定の設定内容を、前記印刷装置の機能の有効又は無効の状態に対応する設定内容に初期化する印刷設定初期化部をさらに備え、前記印刷設定情報生成部は、前記読出部が前記複合設定保存部から読み出した項目の設定内容を前記印刷設定初期化部が初期化した印刷設定の設定内容に反映させた前記印刷設定情報を生成する請求項１記載の印刷制御装置。
【発明の詳細な説明】
【技術分野】
【０００１】
本発明は、原稿画像に基づく印刷ジョブを印刷装置に出力する印刷制御装置に関する。
【背景技術】
【０００２】
印刷装置において原稿画像を印刷用紙に印刷させる際に端末から印刷装置に出力される印刷ジョブには、原稿画像の印刷条件や後処理条件等の印刷設定に関する印刷設定情報が含まれている。印刷設定の入力は、ユーザインタフェース画面から行うことができる。このユーザインタフェース画面は、印刷装置において原稿画像を印刷用紙に印刷させるために、端末において印刷装置のプリンタドライバプログラムを起動することで、端末のモニタに表示される。
【０００３】
印刷設定の設定内容は、印刷する原稿画像の種類あるいは原稿画像を印刷する印刷用紙の種類等の印刷条件や、印刷後の印刷用紙に施す後処理等に応じて、様々な組み合わせとなる。そこで、例えばよく利用する組み合わせの印刷設定の設定内容をプリンタドライバのユーザインタフェース画面において入力した際に、その組み合わせの設定内容にファイル名を付けて、「お気に入り」の印刷設定としてメモリに保存することが行われている。
【０００４】
メモリに保存した「お気に入り」の印刷設定は、プリンタドライバのユーザインタフェース画面において印刷設定を入力する際に、ファイル名を指定してメモリから読み出して、入力中の印刷設定にいつでも反映させることができる。
【０００５】
また、メモリに保存した「お気に入り」の印刷設定は、「エクスポート」機能を利用して、ファイルの形式でメモリから出力させることができる。出力された「お気に入り」の印刷設定のファイルは、他のプリンタドライバの「インポート」機能を利用して、他のプリンタドライバにおける「お気に入り」の印刷設定としてメモリに保存することができる。
【０００６】
なお、他のプリンタドライバとは、例えば、同じ端末にインストールされた互換性のある他の印刷装置のプリンタドライバである場合もあれば、他の端末にインストールされた同じ印刷装置又は互換性のある印刷装置のプリンタドライバである場合もある。
【０００７】
そして、メモリに保存した「お気に入り」の印刷設定は、メモリへの保存後に印刷装置のオプションの装着内容が変わったり後処理装置の有無が変わって機能に変化が生じると、そのままの設定内容では使えなくなる場合がある。
【０００８】
また、互換性のある印刷装置のプリンタドライバからインポート機能を利用して他の印刷装置のプリンタドライバに取り込みメモリに保存した「お気に入り」の印刷設定も、他の印刷装置との間に機能の違いがあると、他の印刷装置では使える設定内容であってもインポート先のプリンタドライバに対応する印刷装置では使えない設定内容が含まれている場合がある。
【０００９】
そこで、メモリに保存されている「お気に入り」の印刷設定の編集機能をプリンタドライバに持たせ、印刷装置の機能に合致しない設定内容の項目が含まれている場合には、その項目の設定内容を、印刷装置の機能に対応する設定内容（デフォルトの設定内容）に、編集機能により自動的に変更することが提案されている。
【００１０】
この提案では、編集後の「お気に入り」の印刷設定を、同じファイル名でメモリに上書き保存し、あるいは、新しいファイル名を付けてメモリに新規保存することができる（例えば、特許文献１）。
【先行技術文献】
【特許文献】
【００１１】
【特許文献１】特許第４９３９５００号公報
【発明の概要】
【発明が解決しようとする課題】
【００１２】
上述した従来の提案の技術では、保存した「お気に入り」の印刷設定の設定内容が印刷装置の機能と合致しない項目を含んでいる場合に、該当する項目の設定内容がデフォルトの内容に変更される。このため、全ての項目の設定内容が印刷装置の機能と合致する設定内容に編集された後の印刷設定を、「お気に入り」の印刷設定から読み出して印刷ジョブの印刷設定情報に反映させることができる。
【００１３】
また、一部の項目しか印刷設定の設定内容を印刷ジョブの印刷設定情報に反映させることができない「お気に入り」の印刷設定をメモリに保存しても、印刷ジョブの印刷設定情報に反映させるためにメモリから読み出すのは、全ての項目の印刷設定の設定内容を印刷ジョブの印刷設定情報に反映させることができるように編集した後の「お気に入り」の印刷設定となる。
【００１４】
したがって、プリンタドライバから印刷装置に出力する印刷ジョブの印刷設定情報に反映させるためにメモリから読み出す「お気に入り」の印刷設定のデータ量は、常に、全ての項目の印刷設定の設定内容を含む最大のデータ量となる。そうすると、印刷ジョブの印刷設定情報に反映させる処理に時間を要してしまう。
【００１５】
本発明は前記事情に鑑みなされたもので、本発明の目的は、例えば「お気に入り」の印刷設定と呼ばれる、複数の項目の印刷設定の設定内容を組み合わせた複合設定を、プリンタドライバにより生成する印刷ジョブの印刷設定情報に反映させるためにメモリから読み出す際の、読み出しデータ量を少なくすることができる印刷制御装置を提供することにある。
【課題を解決するための手段】
【００１６】
上記目的を達成するために、本発明の第１の態様による印刷制御装置は、
原稿画像を印刷用紙に印刷する印刷指令に基づいて、前記原稿画像を印刷する際の複数項目の印刷設定の設定内容を示す印刷設定情報を含む印刷ジョブを印刷装置に出力する印刷制御装置において、
前記複数項目の印刷設定の設定内容を組み合わせた複合設定が組み合わせパターン別に保存される複合設定保存部と、
前記印刷指令に基づいて、前記複合設定保存部に保存された複合設定のうち設定内容を前記印刷設定情報に反映させる組み合わせパターンの複合設定を指定する複合設定指定部と、
前記印刷指令の発生時における前記印刷装置の機能の有効又は無効の状態に基づいて、前記複合設定指定部により指定された組み合わせパターンの設定内容のうち、該複合設定における設定内容が前記印刷装置における印刷設定に適用可能な項目の設定内容を、前記複合設定保存部から読み出す読出部と、
前記読出部が前記複合設定保存部から読み出した項目の設定内容を印刷設定に反映させた前記印刷設定情報を生成する印刷設定情報生成部と、
前記印刷設定情報生成部が生成した前記印刷設定情報を含む前記印刷ジョブを前記印刷装置に出力する印刷ジョブ出力部と、
を備える。
【００１７】
また、本発明の第２の態様による印刷制御装置は、本発明の第１の態様による印刷制御装置において、前記印刷指令に基づいて、前記印刷設定の設定内容を、前記印刷装置の機能の有効又は無効の状態に対応する設定内容に初期化する印刷設定初期化部をさらに備え、前記印刷設定情報生成部は、前記読出部が前記複合設定保存部から読み出した項目の設定内容を前記印刷設定初期化部が初期化した印刷設定の設定内容に反映させた前記印刷設定情報を生成する。
【００１８】
なお、本発明の第１の変形例の態様による印刷制御装置は、本発明の第１又は第２の態様による印刷制御装置において、前記印刷設定情報生成部が生成した印刷設定情報のうち、前記読出部が前記複合設定保存部から読み出した設定内容を反映させた項目の設定内容の変更を受け付ける設定変更受付部をさらに備え、前記印刷ジョブ出力部は、前記設定変更受付部が変更を受け付けた項目について設定内容を変更した後の前記印刷設定情報生成部が生成した印刷設定情報を含む前記印刷ジョブを前記印刷装置に出力する。
【００１９】
また、本発明の第２の変形例の態様による印刷制御装置は、本発明の第１又は第２の態様による印刷制御装置、あるいは、本発明の第１の変形例の態様による印刷制御装置において、前記印刷ジョブ出力部による前記印刷ジョブの出力前に、前記印刷設定情報生成部が生成した印刷設定情報を、前記読出部が前記複合設定保存部から読み出した設定内容を反映させた項目とそれ以外の項目とを区別してディスプレイに表示させる確認表示部をさらに備え、前記印刷ジョブ出力部は、前記ディスプレイに表示された印刷設定情報の確認指示の入力に基づいて、前記ディスプレイに表示された印刷設定情報を含む前記印刷ジョブを前記印刷装置に出力する。
【発明の効果】
【００２０】
本発明によれば、複数の項目の印刷設定の設定内容を組み合わせた複合設定を、プリンタドライバにより生成する印刷ジョブの印刷設定情報に反映させるためにメモリから読み出す際の、読み出しデータ量を少なくすることができる。
【００２１】
即ち、本発明の第１の態様による印刷制御装置によれば、原稿画像を印刷用紙に印刷する印刷指令が発生し、これに基づいて、例えば「お気に入り」の印刷設定等と呼ばれる、印刷装置に出力する印刷ジョブの印刷設定情報に反映させる組み合わせパターンの複合設定が複合設定指定部により指定されると、以下の処理が行われる。
【００２２】
つまり、指定された組み合わせパターンの複合設定の設定内容のうち印刷装置における印刷設定に適用可能な項目の設定内容だけが、複合設定保存部から読み出される。そして、複合設定保存部から読み出された項目の設定内容を印刷設定に反映させた印刷設定情報が印刷設定情報生成部で生成され、それを含む印刷ジョブが印刷ジョブ出力部により印刷装置に出力される。
【００２３】
このため、指定された組み合わせパターンの複合設定の設定内容を全ての項目について読み出させるのに比べて、複合設定保存部から読み出す複合設定のデータ量を少なくすることができる。
【００２４】
また、本発明の第２の態様による印刷制御装置によれば、本発明の第１の態様による印刷制御装置において、印刷指令が発生すると、印刷設定の設定内容が印刷設定初期化部によって、印刷装置の機能の有効又は無効の状態に対応する設定内容に初期化される。そして、複合設定指定部により指定された複合設定保存部の複合設定のうち、読出部により複合設定保存部から読み出された項目の設定内容が、印刷設定情報生成部によって、初期化後の印刷設定の設定内容に対して反映される。
【００２５】
このため、読出部により複合設定保存部から読み出された設定内容が反映される項目以外の項目に関する印刷設定の設定内容を、その項目を特定する手順を経ることなく、印刷装置の機能の有効又は無効の状態に対応する設定内容に容易に初期化することができる。
【００２６】
なお、本発明の第１の変形例の態様による印刷制御装置によれば、本発明の第１又は第２の態様による印刷制御装置において、読出部が複合設定保存部から読み出して印刷設定情報に反映させた項目の印刷設定の設定内容の変更が、設定変更受付部により受け付けられると、受け付けられた項目の設定内容を変更した後の印刷設定情報を含む印刷ジョブが、印刷装置に出力される。
【００２７】
このため、印刷指令の発生に伴い、複合設定指定部により指定された組み合わせパターンの複合設定の設定内容のうち、印刷装置における印刷設定に適用可能な項目の設定内容が印刷設定に反映されても、必要に応じて、その項目の設定内容を別の設定内容に変更することができる。
【００２８】
また、本発明の第２の変形例の態様による印刷制御装置によれば、本発明の第１又は第２の態様による印刷制御装置、あるいは、本発明の第１の変形例の態様による印刷制御装置において、印刷ジョブ出力部が印刷ジョブを印刷装置に出力する前に、印刷設定情報生成部が生成した印刷設定情報が、読出部が複合設定保存部から読み出した設定内容を反映させた項目とそれ以外の項目とを区別して、確認表示部によりディスプレイに表示される。
【００２９】
そして、ディスプレイに表示された印刷設定情報に対する確認指示の入力後に、ディスプレイに表示された印刷設定情報を含む印刷ジョブが印刷ジョブ出力部によって印刷装置に出力される。
【００３０】
このため、複合設定指定部により指定された組み合わせパターンの複合設定のうち設定内容を印刷設定情報に反映させた項目がどの項目であるかを、印刷ジョブ出力部が印刷ジョブを印刷装置に出力する前に、ディスプレイの表示内容によって確認させることができる。
【図面の簡単な説明】
【００３１】
【図１】本発明の一実施形態に係るプリンタネットワークシステムの概略構成を示すブロック図である。
【図２】（ａ），（ｂ）は、図１のクライアント端末の出力部に表示される印刷設定画面における印刷設定の設定内容の表示イメージ例を示す説明図である。
【図３】（ａ），（ｂ）は、図１のクライアント端末の外部記憶装置に記憶されたお気に入りの印刷設定を原稿画像の印刷設定に反映させるために外部記憶装置から読み出す際に表示部に表示される一覧画面を示す説明図である。
【図４】図１のインクジェット記録装置の機能に対応する印刷設定情報の初期化された設定内容と、インポートされたお気に入りの印刷設定の設定内容と、インポートされたお気に入りの印刷設定から図１の印刷装置及び後処理装置の機能に対応する印刷設定情報を生成する際のプリンタドライバによる本実施形態に係る処理手順及び一般的な処理手順の比較とを示す模式図である。
【図５】図１のＣＰＵ上に仮想的に構築されるプリンタドライバが実行する印刷ジョブの印刷設定情報の生成に関する処理の手順を示すフローチャートである。
【発明を実施するための形態】
【００３２】
以下、本発明の実施形態について図面を参照しながら説明する。図１は、本発明の一実施形態に係るプリンタネットワークシステムの概略構成を示す説明図である。なお、図１に示す本実施形態のインクジェット記録装置１は、インクジェット方式のラインカラープリンタであるものとする。
【００３３】
（プリンタネットワークシステムの全体構成）
図１に示すように、本実施形態のプリンタネットワークシステムは、ローカルエリアネットワークＬＡＮ上に接続されたインクジェット記録装置１（請求項中の印刷装置に相当）及びクライアント端末１４（請求項中の印刷制御装置に相当）と、インクジェット記録装置１における印刷後の用紙に対する後処理を行う後処理装置２とを有している。
【００３４】
（インクジェット記録装置の構成）
インクジェット記録装置１は、原稿上の画像情報を原稿画像として読み取って画像信号を出力するスキャナ部１０１と、印刷用紙に原稿画像を印刷するプリンタ部１０２と、各種状態の表示や各種設定の入力が行われるタッチパネル式のディスプレイ８０と、全体制御用の制御ユニット１０とを備えている。プリンタ部１０２における原稿画像の印刷に使用する印刷用紙は、不図示の給紙部からプリンタ部１０２を介して不図示の排紙部に搬送される。
【００３５】
ディスプレイ８０は、制御ユニット１０に接続されており、インクジェット記録装置１の上部に配置されている。このディスプレイ８０は、スキャナ部１０１にセットした原稿画像を複写印刷する際の、複写枚数や複写倍率といった印刷設定の設定内容をユーザが入力する入力操作部等として利用できる。
【００３６】
制御ユニット１０の外部インターフェイス部１１には、ローカルエリアネットワークＬＡＮを介して、複数のクライアント端末１４の外部インターフェイス部１５（図１中では、代表して１つのクライアント端末１４についてのみ示している）がそれぞれ接続されている。制御ユニット１０は各クライアント端末１４から原稿画像の印刷ジョブを受け取る。
【００３７】
また、制御ユニット１０は、スキャナ部１０１において原稿から読み取った原稿画像の画像信号に基づいて、スキャナ部１０１において原稿から読み取った原稿画像をプリンタ部１０２において複写印刷させるための、ディスプレイ８０から入力された複写印刷における印刷設定の設定内容を印刷設定情報とする印刷ジョブを生成する。
【００３８】
そして、制御ユニット１０は、各クライアント端末１４から受け取った印刷ジョブや、自らが生成した印刷ジョブにより、原稿画像のラスタデータを生成する。さらに、印刷ジョブの印刷設定情報において指定された印刷設定の設定内容で、原稿画像の印刷用紙への印刷をプリンタ部１０２において実行させる。
【００３９】
制御ユニット１０は、ＣＰＵ９０を備える。このＣＰＵ９０は、ＲＯＭ９１に格納されているプログラムに基づいて、印刷ジョブの印刷設定情報における印刷設定の設定内容に応じたスキャナ部１０１やプリンタ部１０２の動作を制御する。
【００４０】
なお、制御ユニット１０にはＲＡＭ９２が設けられており、ＲＡＭ９２には、クライアント端末１４から制御ユニット１０に入力された印刷ジョブや、ディスプレイ８０から入力されたコピー時の印刷枚数や各種の設定内容等が随時記憶される。
【００４１】
また、ＲＡＭ９２にはフレームメモリ領域が設けられている。このフレームメモリ領域には、クライアント端末１４から制御ユニット１０に入力された印刷ジョブによってＣＰＵ９０が生成する原稿画像のラスタデータが、プリンタ部１０２に出力されるまでの間、一時的に記憶される。
【００４２】
さらに、制御ユニット１０には外部記憶装置９３が設けられており、この外部記憶装置９３はＣＰＵ９０に接続されている。外部記憶装置９３には、上述したＲＡＭ９２から転送された印刷ジョブを記憶する複数の領域が設けられている。
【００４３】
（クライアント端末の構成）
クライアント端末１４は、ＰＣ（パーソナルコンピュータ）等によって構成されるものである。このクライアント端末１４は、ＲＯＭ１７に格納された制御プログラムに基づいて各種の処理を実行するＣＰＵ１６を有している。また、ＣＰＵ１６には、ワーキングエリアとして機能するＲＡＭ１８と、キーボードやマウス等から構成される入力部１９と、液晶ディスプレイ等から構成される出力部２０（請求項中のディスプレイに相当）と、外部記憶装置２１（請求項中の複合設定保存部に相当）と、ＵＳＢポート２２とが接続されている。
【００４４】
外部記憶装置２１には、文書、画像等の原稿画像を含む原稿データを生成するためのアプリケーションプログラムの格納領域や、ローカルエリアネットワークＬＡＮ上に接続されたインクジェット記録装置１等のプリンタに対応する各プリンタドライバプログラムの格納領域、その他各種アプリケーションプログラムの格納領域が確保されている。
【００４５】
また、外部記憶装置２１には、データベース領域も確保されている。このデータベース領域には、アプリケーションプログラムを用いて生成された原稿データや、原稿データの原稿画像を所定の印刷設定情報にしたがって印刷用のイメージデータに変換処理した印刷データ（例えば、ＰＲＮデータ）が格納される。
【００４６】
ここで、印刷設定情報とは、例えば、原稿データのサイズ、解像度、印刷用紙のサイズ、印刷倍率、印刷方向等、印刷に必要な情報である。また、この印刷設定情報には、原稿画像をインクジェット記録装置１で印刷する際の印刷モード（カラー印刷／モノクロ印刷、片面印刷／両面印刷、Ｎアップ）や、インクジェット記録装置１の後段に後処理装置２が接続されている場合の、その後処理装置２における後処理（ステープル、パンチ等）の有無やその内容等に関する情報も含まれている。
【００４７】
ＣＰＵ１６は、プロセッサやメモリその他の周辺装置によって構成される演算装置であり、入力部１９から入力される起動要求にしたがって外部記憶装置２１のアプリケーションプログラムを起動させる。また、ＣＰＵ１６は、入力部１９からのパラメータ入力等により、起動されたアプリケーションプログラム上において画像の原稿データを生成する。生成された原稿データは出力部２０に表示出力され、また、入力部１９から保存要求が入力された場合には、生成された原稿データが外部記憶装置２１のデータベース領域に記憶される。
【００４８】
外部記憶装置２１のデータベース領域に記憶された原稿データは、アプリケーションプログラムの起動中に入力部１９からの読み出し要求が入力された場合に、外部記憶装置２１から読み出される。読み出された原稿データの原稿画像は、出力部２０に表示出力することができ、また、アプリケーションプログラム上において加工して新たな原稿データに生成し直すこともできる。
【００４９】
そして、ＣＰＵ１６は、入力部１９からの入力操作により、原稿アプリケーションプログラムや帳票作成のアプリケーションプログラム等で生成した原稿データに係る原稿画像の印刷指令が入力された場合に、プリンタドライバプログラムをＣＰＵ１６上で実行させることでＣＰＵ１６上にプリンタドライバ１１０を仮想的に構築する。そして、プリンタドライバ１１０によってインクジェット記録装置１に印刷ジョブを出力させる。
【００５０】
（プリンタドライバの構成）
プリンタドライバ１１０は、クライアント端末１４に接続されたインクジェット記録装置１を制御するために、クライアント端末１４上で実行されるデータ変換プログラムである。
【００５１】
このプリンタドライバ１１０は、原稿アプリケーション等が生成した原稿画像を有する原稿データを取得し、所定の印刷設定情報に従って印刷ジョブを生成する。そして、生成した印刷ジョブを外部インターフェイス部１５から制御ユニット１０の外部インターフェイス部１１に出力する。
【００５２】
原稿データの印刷ジョブを生成する際に、プリンタドライバ１１０は、出力部２０に表示される原稿画像の印刷設定画面上で、原稿画像をインクジェット記録装置１で印刷させる際の複数項目に亘る印刷設定の設定内容の入力を受け付ける。受け付けた印刷設定の設定内容は、原稿画像の印刷ジョブの印刷設定情報として、インクジェット記録装置１の制御ユニット１０に出力される。
【００５３】
（印刷設定）
ここで、出力部２０に表示される印刷設定画面上で行う印刷設定の設定内容の入力について、図２を参照して説明する。
【００５４】
図２（ａ）は、出力部２０に表示される印刷設定画面における印刷設定の設定内容の入力部分を示す説明図である。図２（ａ）に示す例では、「機能Ａ」と「機能Ｃ」の設定内容について、それぞれ「ＯＮ」と「ＯＦＦ」の２つの選択肢があり、「機能Ｂ」と「機能Ｄ」の設定内容について、それぞれ「設定値Ａ」〜「設定値Ｃ」の３つの選択肢がある。
【００５５】
各選択肢は、印刷設定画面上の各選択肢に対応するラジオボタンを入力部１９の操作によりクリックすることで、印刷設定の設定内容として選択することができる。
【００５６】
そして、図２（ａ）では、「機能Ａ」と「機能Ｃ」の印刷設定の設定内容として、それぞれ「ＯＮ」が選択され、「機能Ｂ」の印刷設定の設定内容として「設定値Ａ」が、「機能Ｄ」の印刷設定の設定内容として「設定値Ｂ」が、それぞれ選択されている。
【００５７】
なお、図１のクライアント端末１４の出力部２０に印刷設定画面が表示される際の、最初に表示される「機能Ａ」〜「機能Ｄ」の設定内容は、例えば、原稿データと共に外部記憶装置２１に記憶された、原稿データの前回の保存の際に印刷設定画面上で入力されていた印刷設定の設定内容とすることができる。
【００５８】
あるいは、インクジェット記録装置１の現在の機能に対応した「機能Ａ」〜「機能Ｄ」の設定内容の初期値としてもよい。ちなみに、図２（ｂ）の説明図は、「機能Ａ」〜「機能Ｄ」の設定内容の初期値を示している。この例では、「機能Ａ」の初期値が「ＯＮ」、「機能Ｂ」の初期値が「設定値Ａ」、「機能Ｃ」の初期値が「ＯＦＦ」、「機能Ｄ」の初期値が「設定値Ｂ」となっている。
【００５９】
ところで、印刷設定の項目は、図２（ａ），（ｂ）では、説明の簡略化のために「機能Ａ」〜「機能Ｄ」の４項目を図示しているが、実際にはさらに多くの項目を印刷設定の項目とすることができる。したがって、その一つ一つの項目の設定内容を、原稿画像の印刷の度に入力部１９の操作によって入力すると、入力作業の負担が大きくなる。
【００６０】
そこで、例えば、よく利用する組み合わせの各項目の印刷設定の設定内容は、入力部１９の操作によって出力部２０の印刷設定画面上で入力した際に、「お気に入り」の印刷設定（請求項中の複合設定に相当）としてファイル名を付けて、プリンタドライバ１１０が記憶された外部記憶装置２１のデータベース領域に記憶させることができる。その際のファイル名の入力や外部記憶装置２１への記憶の指示も、入力部１９からの操作による印刷設定画面上での入力によって行うことができる。
【００６１】
そして、プリンタドライバ１１０が「お気に入り」の印刷設定のエクスポート機能やインポート機能を有している場合は、外部記憶装置２１に記憶された「お気に入り」の印刷設定をファイルの形式で出力させることができる。
【００６２】
エクスポートした「お気に入り」の印刷設定ファイルの出力先は、例えば、ＵＳＢポート２２に接続したＵＳＢ（Universal Serial Bus）メモリ５０とすることができる。
【００６３】
また、インクジェット記録装置１と互換性がある他のプリンタ（図示せず）がローカルエリアネットワークＬＡＮ上に接続されている場合は、その不図示のプリンタに対応したプリンタドライバ１１０が記憶されている外部記憶装置２１のデータベース領域を、エクスポートした「お気に入り」の印刷設定ファイルの出力先とすることもできる。
【００６４】
その場合、エクスポートした「お気に入り」の印刷設定ファイルは、不図示のプリンタに対応したプリンタドライバ１１０のインポート機能を利用して、外部記憶装置２１のデータベース領域に記憶させることができる。
【００６５】
反対に、インクジェット記録装置１と互換性がある、ローカルエリアネットワークＬＡＮ上に接続されている他のプリンタ（図示せず）のプリンタドライバ１１０が記憶された外部記憶装置２１のデータベース領域に記憶されている、他のプリンタ用の「お気に入り」の印刷設定も、そのプリンタドライバ１１０のエクスポート機能を利用して、ファイルの形式で出力させることができる。
【００６６】
その場合、エクスポートした「お気に入り」の印刷設定ファイルの出力先は、例えば、ＵＳＢポート２２に接続したＵＳＢメモリ５０とすることができる。また、インクジェット記録装置１のプリンタドライバ１１０のインポート機能を利用して、そのプリンタドライバ１１０が記憶された外部記憶装置２１のデータベース領域に、エクスポートした「お気に入り」の印刷設定ファイルを出力する（インポートし記憶させる）ことができる。
【００６７】
このようにして、外部記憶装置２１に記憶させた「お気に入り」の印刷設定ファイルは、原稿画像の印刷をインクジェット記録装置１で行う際に外部記憶装置２１から読み出して、原稿画像を印刷する際の印刷設定にいつでも反映させることができる。
【００６８】
（「お気に入り」の印刷設定）
図３（ａ）は、外部記憶装置２１に記憶された「お気に入り」の印刷設定を原稿画像印刷設定に反映させるために外部記憶装置２１から読み出す際に出力部２０に表示される、「お気に入り」の印刷設定の一覧画面を示す説明図である。
【００６９】
図３（ａ）の例では、「お気に入り設定Ａ」〜「お気に入り設定Ｄ」の４つの「お気に入り」の印刷設定が、外部記憶装置２１に記憶されている場合を示している。そして、図中実線で示す「お気に入り設定Ａ」が、入力部１９からの入力操作により選択され、「お気に入り設定Ａ」の各項目（「機能Ａ」〜「機能Ｄ」）の印刷設定の設定内容が、一覧画面の右側に並べて表示される。
【００７０】
したがって、一覧画面の右下の「ＯＫ」ボタンを入力部１９の操作によってクリックすると、一覧画面の右側に並べて表示されている「お気に入り設定Ａ」の各項目の印刷設定の設定内容が、原稿画像を印刷する際の印刷設定の設定内容に反映される。これに伴い、図２（ａ）に示す、出力部２０に表示される印刷設定画面における印刷設定の設定内容の入力部分にも、「お気に入り設定Ａ」の各項目の印刷設定の設定内容が表示される。
【００７１】
なお、一覧画面の「ＯＫ」ボタンをクリックする前に、「お気に入り設定Ａ」の各項目の印刷設定の設定内容に対応するラジオボタンを、入力部１９の操作によってクリックすると、インクジェット記録装置１の現在の機能（の有効又は無効）の状態に対応する範囲内で、印刷設定の設定内容を項目毎に変更することができる。
【００７２】
例えば、図３（ｂ）に示す例では、「お気に入り設定Ａ」の印刷設定の設定内容を反映させて「ＯＮ」とした「機能Ａ」の設定内容（図３（ａ）参照）を、ラジオボタンのクリックにより「ＯＦＦ」に変更している。
【００７３】
なお、「構成Ｃ」の印刷設定の設定内容を囲む図３（ａ），（ｂ）中の点線の枠は、外部記憶装置２１から読み出した「お気に入り設定Ａ」の印刷設定の設定内容が、「構成Ｃ」については、印刷設定の設定内容に反映されていないことを示している。
【００７４】
したがって、「構成Ｃ」の印刷設定の設定内容は、「お気に入り設定Ａ」の印刷設定の設定内容を反映させた後も変わっておらず、よって、「ＯＫ」ボタンのクリック前に印刷設定の設定内容を変更する必要性も、原則的には生じない。
【００７５】
このため、図３（ａ），（ｂ）中の点線の枠によって、「お気に入り設定Ａ」の印刷設定の設定内容を反映させたものの、ラジオボタンのクリックにより設定内容を変更する場合がある項目（点線の枠で囲まれていない項目）と、設定内容を変更する必要がない項目（点線の枠で囲まれている項目）とを、区別することができる。
【００７６】
ちなみに、図３（ａ），（ｂ）でも、説明の簡略化のために、印刷設定の項目を「機能Ａ」〜「機能Ｄ」の４項目について図示しているが、実際にはさらに多くの項目を印刷設定の項目とすることができる。
【００７７】
ところで、インクジェット記録装置１のプリンタドライバ１１０が記憶された外部記憶装置２１のデータベース領域に記憶された「お気に入り」の印刷設定は、後処理装置２が接続されているか否かによっても異なる、印刷指令が発生した時点のインクジェット記録装置１の機能の有効又は無効の状態に対応しない設定内容となる場合がある。
【００７８】
例えば、インクジェット記録装置１のプリンタドライバ１１０で利用する印刷設定として記憶された「お気に入り」の印刷設定は、その後に後処理装置２がインクジェット記録装置１に接続されたり、インクジェット記録装置１に接続されていた後処理装置２がその後になくなると、印刷指令が発生した時点のインクジェット記録装置１の機能（の有効又は無効）の状態に対応しない設定内容となる。
【００７９】
また、不図示のプリンタのプリンタドライバ１１０で利用する印刷設定として記憶され、エクスポート機能により出力されて、インクジェット記録装置１のプリンタドライバ１１０のインポート機能により記憶された「お気に入り」の印刷設定は、不図示のプリンタとの機能の違いにより、インクジェット記録装置１の機能の有効又は無効の状態に対応しない設定内容となる場合がある。なお、不図示のプリンタの機能も、後処理装置が接続されているか否かによって異なる。
【００８０】
ここで、図４の模式図を参照して、インクジェット記録装置１のプリンタドライバ１１０のインポート機能により外部記憶装置２１に記憶された「お気に入り」の印刷設定が、インクジェット記録装置１の現在の機能（の有効又は無効）の状態に対応しない設定内容となる場合について説明する。
【００８１】
なお、図１のインクジェット記録装置１の現在の機能に対応する設定内容は、「機能Ａ」及び「機能Ｂ」が「ＯＮ」及び「ＯＦＦ」、「機能Ｃ」が「ＯＦＦ」のみであるものとする。
【００８２】
また、インクジェット記録装置１の現在の機能に対応した印刷設定情報の設定内容の初期値は、図４の模式図の一番左に記載したように、「機能Ａ」〜「機能Ｃ」の各項目について、いずれも「ＯＦＦ」であるものとする。
【００８３】
ここで、例えば、ローカルエリアネットワークＬＡＮ上の不図示のプリンタのプリンタドライバ１１０における「お気に入り」の印刷設定が、図１のインクジェット記録装置１のプリンタドライバ１１０のインポート機能により外部記憶装置２１に記憶されたものとする。
【００８４】
また、インポートされた「お気に入り」の印刷設定は、図４の模式図の左から二番目に記載したように、「機能Ａ」〜「機能Ｃ」の各項目について、いずれも「ＯＮ」の設定内容であるものとする。
【００８５】
そして、図１の入力部１９の操作により、外部記憶装置２１の原稿データに基づいて原稿画像をインクジェット記録装置１で印刷させる印刷指令がＣＰＵ１６に入力され、インクジェット記録装置１に出力する原稿画像の印刷ジョブに関する印刷設定の設定入力を受け付けるために、プリンタドライバ１１０が出力部２０に印刷設定画面を表示させた場合を想定する。
【００８６】
このとき、出力部２０の印刷設定画面に表示される印刷設定の設定内容は、先に説明したように、原稿データと共に外部記憶装置２１に記憶された、原稿データの前回の保存の際に印刷設定画面上で入力されていた印刷設定の設定内容としてもよい。あるいは、図４の模式図の一番左に記載した、インクジェット記録装置１の現在の機能に対応した印刷設定情報の設定内容の初期値（「機能Ａ」〜「機能Ｃ」のいずれも「ＯＦＦ」）としてもよい。
【００８７】
（「お気に入り」の印刷設定を反映させる手順）
ところで、図１の外部記憶装置２１にインポートされた「お気に入り」の印刷設定における「機能Ｃ」の設定内容（「ＯＮ」）は、インクジェット記録装置１の現在の機能に対応しない。このため、このまま「お気に入り」の印刷設定を外部記憶装置２１から読み出したとしても、「機能Ｃ」の設定内容（「ＯＮ」）は印刷ジョブの印刷設定情報に反映させることができない。
【００８８】
そこで、図４中の下列側の点線で流れを示した一般的な処理手順では、プリンタドライバ１１０が、インポートされて外部記憶装置２１に記憶された「お気に入り」の印刷設定における「機能Ｃ」の設定内容を、現状の「ＯＮ」から「ＯＦＦ」に修正して書き換える（図４中の下列の右から二番目参照）。
【００８９】
その上で、書き換えた後の「お気に入り」の印刷設定（「機能Ａ」及び「機能Ｂ」は「ＯＮ」、「機能Ｃ」は「ＯＦＦ」）を外部記憶装置２１から読み出し（図４中の下列の一番右参照）、図１のクライアント端末１４からインクジェット記録装置１に出力する印刷ジョブの印刷設定情報における「機能Ａ」〜「機能Ｃ」の各項目の設定内容に反映させる。
【００９０】
しかし、上述した一般的な処理手順では、外部記憶装置２１に記憶されている「お気に入り」の印刷設定の「機能Ｃ」を、インクジェット記録装置１の現在の機能の有効又は無効に対応した印刷設定情報の設定内容と一致するように、「ＯＮ」から「ＯＦＦ」に書き換えてしまう。
【００９１】
そうすると、インクジェット記録装置１の機能がその後変わって、「機能Ｃ」の設定内容を「ＯＮ」としてもよくなった場合には、外部記憶装置２１に記憶されている「お気に入り」の印刷設定が、「機能Ｃ」を「ＯＦＦ」に書き換えたため、そのまま利用できなくなってしまう。
【００９２】
また、上述した一般的な処理手順では、インクジェット記録装置１の機能の有効又は無効に対応した印刷設定情報の設定内容と一致するように書き換えた後の「お気に入り」の印刷設定が、外部記憶装置２１から読み出されて印刷ジョブの印刷設定情報に反映される。
【００９３】
このため、印刷ジョブの印刷設定情報に反映させるために外部記憶装置２１から読み出す「お気に入り」の印刷設定は、全ての項目の印刷設定の設定内容となる。よって、外部記憶装置２１から読み出す「お気に入り」の印刷設定のデータ量が、常に、全ての項目の印刷設定の設定内容に応じた最大データ量となり、読み出しに時間がかかってしまう。
【００９４】
そこで、本実施形態のプリンタドライバ１１０では、インポート機能により外部記憶装置２１に記憶された「お気に入り」の印刷設定が、インクジェット記録装置１の現在の機能に対応する内容でなくても、「お気に入り」の印刷設定は書き換えないようにする。
【００９５】
そして、図４中の上列側の実線で流れを示した本実施形態のプリンタドライバ１１０の処理手順のように、外部記憶装置２１に記憶された「お気に入り」の印刷設定のうち、インクジェット記録装置１の現在の機能に対応しない「機能Ｃ」の設定内容（「ＯＮ」）を、印刷ジョブの印刷設定情報の生成に当たって外部記憶装置２１から読み出さないようにする（図４中の上列の右から二番目）。
【００９６】
ここで、印刷ジョブの印刷設定情報の生成に当たって外部記憶装置２１の「お気に入り」の印刷設定から設定内容が読み出されない項目の印刷設定には、「お気に入り」の印刷設定の設定内容が反映されない。その項目については、印刷指令の発生に伴って出力部２０に印刷設定画面が表示されたときに最初に表示される印刷設定の設定内容が、そのまま反映されることになる。
【００９７】
したがって、先に説明したように、原稿データと共に外部記憶装置２１に記憶された、原稿データの前回の保存の際に印刷設定画面上で入力されていた印刷設定の設定内容が、出力部２０の印刷設定画面に最初に表示される場合は、その印刷設定の設定内容が、インクジェット記録装置１の現在の機能に対応した設定内容になっているとは限らない。
【００９８】
そこで、本実施形態では、図１のプリンタドライバ１１０が、印刷指令の発生に伴って出力部２０に最初に表示される印刷設定画面の印刷設定の設定内容のうち、インクジェット記録装置１の現在の機能に対応した印刷設定情報の設定内容の初期値とは設定内容が異なる項目について、印刷設定の設定内容を初期値に初期化する。
【００９９】
例えば、図２（ａ）に示す、出力部２０の印刷設定画面に表示されている現在の各項目の印刷設定の設定内容のうち、「機能Ａ」の「ＯＮ」、「機能Ｂ」の「設定値Ａ」及び「機能Ｄ」の「設定値Ｂ」）は、各項目の印刷設定の初期値であるが、「機能Ｃ」の「ＯＮ」は、その項目の印刷設定の初期値でなく、「ＯＦＦ」が「機能Ｃ」の初期値ではないものとする。
【０１００】
この場合は、出力部２０の印刷設定画面に印刷設定の設定内容の入力部分を表示する際に、初期値でない「ＯＮ」に設定されている「機能Ｃ」の印刷設定を、図２（ｂ）に示すように、初期値の「ＯＦＦ」に初期化して出力部２０に表示し、ラジオボタンのクリック操作による印刷設定の設定内容の入力（選択）を待ち受ける。
【０１０１】
そして、外部記憶装置２１に記憶された「お気に入り」の印刷設定を反映させる場合は、「お気に入り」の印刷設定のうち、インクジェット記録装置１の現在の機能に対応する項目の設定内容だけを読み出して、その設定内容を、対応する項目の初期化した設定内容に反映させて、印刷ジョブの印刷設定情報を生成する。
【０１０２】
また、外部記憶装置２１に記憶された「お気に入り」の印刷設定が、図４に示すような「機能Ａ」〜「機能Ｃ」の３項目の印刷設定の設定内容を含んでいる場合は、図１の出力部２０の印刷設定画面に最初に表示される印刷設定を、図４の一番左に記載したように、インクジェット記録装置１の現在の機能に対応した印刷設定情報の設定内容の初期値（「機能Ａ」〜「機能Ｃ」のいずれも「ＯＦＦ」）に初期化する。
【０１０３】
（プリンタドライバの処理内容）
次に、以上のような手順でプリンタドライバ１１０が印刷ジョブの印刷設定情報を生成する場合に行う処理について、図５のフローチャートを参照して説明する。
【０１０４】
まず、プリンタドライバ１１０は、原稿アプリケーションプログラム等で生成した原稿データに係る原稿画像の印刷指令が入力されたか否かを確認する（ステップＳ１）。
【０１０５】
そして、印刷指令が入力された場合は（ステップＳ１でＹＥＳ）、プリンタドライバ１１０は、印刷に使用するプリンタとして指定されたインクジェット記録装置１（又は他のプリンタ）のプリンタドライバプログラムを起動して、出力部２０の印刷設定画面（図２（ａ）参照）において、インクジェット記録装置１の現在の機能に対応した原稿画像の印刷設定の設定内容を表示する（ステップＳ３）。
【０１０６】
さらに、プリンタドライバ１１０は、入力部１９の操作により出力部２０に表示された「お気に入り」の印刷設定の一覧画面（図３（ａ）参照）から、印刷設定に反映させる「お気に入り」の印刷設定が指定されたか否かを確認する（ステップＳ５）。指定された場合は、後述するステップＳ１１に処理を移行する。
【０１０７】
一方、印刷設定に反映させる「お気に入り」の印刷設定が指定されていない場合は（ステップＳ５でＮＯ）、プリンタドライバ１１０は、出力部２０の印刷設定画面（図２（ａ）参照）において、入力部１９の操作により印刷設定の設定内容が入力されたか否かを確認する（ステップＳ７）。入力されていない場合は（ステップＳ７でＮＯ）、後述するステップＳ１９に処理を移行する。
【０１０８】
また、印刷設定の設定内容が入力された場合は（ステップＳ７でＹＥＳ）、プリンタドライバ１１０は、入力された設定内容を印刷設定に反映させて、出力部２０の印刷設定画面（図２（ａ）参照）の表示を更新した後（ステップＳ９）、ステップＳ１９に処理を移行する。
【０１０９】
そして、ステップＳ５において、印刷設定に反映させる「お気に入り」の印刷設定が指定された場合（ＹＥＳ）に進むステップＳ１１では、プリンタドライバ１１０は、出力部２０の印刷設定画面（図２（ａ）参照）に表示されている、インクジェット記録装置１の現在の機能に対応した原稿画像の印刷設定の設定内容を初期化（図２（ｂ）、図４参照）する。
【０１１０】
続いて、プリンタドライバ１１０は、ステップＳ５で指定された「お気に入り」の印刷設定の設定内容のうち、インクジェット記録装置１の現在の機能に対応した原稿画像の印刷設定の設定内容を、ステップＳ１１で初期化した印刷設定の設定内容に反映（図３（ａ）参照）させる（ステップＳ１３）。
【０１１１】
次に、プリンタドライバ１１０は、出力部２０の、「お気に入り」の印刷設定の一覧画面の右側に表示された、ステップＳ５で指定された「お気に入り」の印刷設定の設定内容（図３（ａ）参照）の、入力部１９の操作による変更入力があるか否かを確認する（ステップＳ１５）。
【０１１２】
変更入力がない場合は（ステップＳ１５でＮＯ）、ステップＳ１９に処理を移行し、変更入力がある場合は（ステップＳ１５でＹＥＳ）、プリンタドライバ１１０は、入力された内容に応じて印刷設定の設定内容を変更（図３（ｂ）参照）して（ステップＳ１７）、ステップＳ１９に処理を移行する。
【０１１３】
ステップＳ１９では、プリンタドライバ１１０は、出力部２０の印刷設定画面（図２（ａ）参照）や「お気に入り」の印刷設定の一覧画面（図３（ａ），（ｂ）参照）において、入力部１９の操作による「ＯＫ」ボタンのクリック等によって、印刷設定の設定内容に対する確定の指示（ＯＫ入力）があったか否かを確認する。
【０１１４】
確定の指示（ＯＫ入力）がない場合は（ステップＳ１９でＮＯ）、ステップＳ５にリターンし、確定の指示（ＯＫ入力）があった場合は（ステップＳ１９でＹＥＳ）、プリンタドライバ１１０は、入力部１９の操作による印刷実行の入力があったか否かを確認する（ステップＳ２１）。
【０１１５】
印刷実行の入力がなくキャンセルの入力があった場合は（ステップＳ２１で「キャンセル」）、一連の処理を終了し、印刷実行の入力があった場合は（ステップＳ２１で「実行」）、プリンタドライバ１１０は、ステップＳ１９で確定の指示（ＯＫ入力）があった印刷設定の設定内容で印刷設定情報を生成する（ステップＳ２３）。
【０１１６】
そして、プリンタドライバ１１０は、ステップＳ２３で生成した印刷設定情報を含む原稿画像の印刷ジョブを、インクジェット記録装置１に出力した後（ステップＳ２５）、一連の処理を終了する。
【０１１７】
以上の説明からも明らかなように、本実施形態では、図５のフローチャートにおけるステップＳ５が、請求項中の複合設定指定部に対応する処理となっており、図５中のステップＳ１１が、請求項中の印刷設定初期化部に対応する処理となっており、図５中のステップＳ１３が、請求項中の読出部と確認表示部に対応する処理となっている。
【０１１８】
また、本実施形態では、図５中のステップＳ２３が、請求項中の印刷設定情報生成部に対応する処理となっており、図５中のステップＳ１５及びステップＳ１７が、請求項中の設定変更受付部に対応する処理となっており、図５中のステップＳ２５が、請求項中の印刷ジョブ出力部に対応する処理となっている。
【０１１９】
（効果）
以上に説明した本実施形態のクライアント端末１４のプリンタドライバ１１０によれば、原稿画像の印刷指令が発生すると、出力部２０の印刷設定画面（図２（ａ）参照）に、現在の印刷設定の設定内容が表示される。
【０１２０】
そして、出力部２０の一覧画面（図３（ａ）参照）において「お気に入り」の印刷設定が指定されると、その「お気に入り」の印刷設定のうち、インクジェット記録装置１の現在の機能に対応する設定内容が外部記憶装置２１から読み出されて、現在の印刷設定の設定内容に反映される。
【０１２１】
このため、指定された「お気に入り」の印刷設定の設定内容を、インクジェット記録装置１の現在の機能に対応しない項目も含めて全て外部記憶装置２１から読み出させるのに比べて、外部記憶装置２１から読み出す「お気に入り」の印刷設定のデータ量を少なくすることができる。
【０１２２】
また、原稿画像の印刷指令が発生し、現在の印刷設定の設定内容に反映させる「お気に入り」の印刷設定が、出力部２０の一覧画面（図３（ａ）参照）において指定されると、現在の印刷設定の設定内容が、インクジェット記録装置１の現在の機能に対応する設定内容の初期値に初期化される。そして、初期化された印刷設定の設定内容に、指定された「お気に入り」の印刷設定の設定内容が反映される。
【０１２３】
このため、指定された「お気に入り」の印刷設定の設定内容が反映されない、インクジェット記録装置１の現在の機能に対応しない項目の設定内容を、その項目を特定する処理を行うことなく、初期化によって、インクジェット記録装置１の現在の機能に対応する設定内容に容易に設定することができる。
【０１２４】
なお、図５のステップＳ１１の初期化を、ステップＳ３の直後に行ってから、ステップＳ５の処理に移行するようにしてもよい。
【０１２５】
その場合は、印刷指令の発生に伴って出力部２０の印刷設定画面に表示された印刷設定の設定内容を、インクジェット記録装置１の現在の機能に対応する設定内容に設定しておいて、ステップＳ５において指定された「お気に入り」の印刷設定の設定内容を反映させたり、ステップＳ７で入力された設定内容を反映させることになる。
【０１２６】
また、本実施形態では、指定された「お気に入り」の印刷設定の設定内容が反映された項目の印刷設定について、その後に設定内容を変更できるようにした。
【０１２７】
このため、印刷設定に設定内容を反映させたい内容と一致する設定内容の「お気に入り」の印刷設定が、外部記憶装置２１に記憶されていなくても、設定内容が近い「お気に入り」の印刷設定の設定内容を反映させてから、一部の項目について設定内容を変更することで、各項目の印刷設定の設定内容を個々に入力するよりも、印刷設定の設定作業を簡便にすることができる。
【０１２８】
さらに、本実施形態では、図３（ａ），（ｂ）の「お気に入り」の印刷設定の一覧画面の右側に表示される各項目の印刷設定の設定内容を囲む点線の枠により、選択した「お気に入り設定Ａ」〜「お気に入り設定Ｄ」の印刷設定の設定内容が反映された項目と反映されていない項目とに区別できるようにした。
【０１２９】
このため、例えば、指定された「お気に入り」の印刷設定の設定内容が反映された項目の印刷設定について、その後に設定内容を変更する場合に、「お気に入り」の印刷設定の設定内容が反映された項目を特定することができる等、「お気に入り」の印刷設定の設定内容が反映された項目を、印刷ジョブの出力前に容易に確認することができる。
【０１３０】
なお、上述した実施形態では、印刷装置としてインクジェット記録装置を用いた場合を例に取って説明した。しかし、本発明はインクジェット方式に限らず、電子写真方式や孔版印刷方式等のインクジェット方式以外の方式によるプリンタを印刷装置とする場合にも、広く適用することができる。
【符号の説明】
【０１３１】
１  インクジェット記録装置（印刷装置）
２  後処理装置
１０  制御ユニット
１１  外部インターフェイス部
１４  クライアント端末（印刷制御装置）
１５  外部インターフェイス部
１６  ＣＰＵ
１７  ＲＯＭ
１８  ＲＡＭ
１９  入力部
２０  出力部（ディスプレイ）
２１  外部記憶装置（複合設定保存部）
２２  ＵＳＢポート
５０  ＵＳＢメモリ
８０  ディスプレイ
９０  ＣＰＵ
９１  ＲＯＭ
９２  ＲＡＭ
９３  外部記憶装置
１０１  スキャナ部
１０２  プリンタ部
１１０  プリンタドライバ
ＬＡＮ  ローカルエリアネットワーク
【図１】
2018073141.tif 000003
【図２】
2018073141.tif 000004
【図３】
2018073141.tif 000005
【図４】
2018073141.tif 000006
【図５】
2018073141.tif 000007